(57)【要約】【課題】  アナログレコードのように、予め、スクラッチ再生を行なう位置の指標となる目印を操作円盤部の上面に備え、当該目印に基づいてスクラッチ再生をタイミング良く開始することができる光ディスク再生装置を提供する。【解決手段】  読取部と、データを記憶する記憶部と、再生部と、円盤部と、円盤部を回転駆動する駆動部と、操作円盤部と、操作円盤部の回転速度及び方向を検出する回転検出部と、操作円盤部に固定され上面に複数のＬＥＤを備える円筒部と、ＬＥＤ発光部と、円盤部の回転角度を検出する回転角度検出部と、再生部がデータの再生を開始する前に基準位置に近接したＬＥＤを発光させるよう制御し、操作円盤部が基準回転速度及び方向に回転しているとき記憶部に記憶したデータを基準読み出し速度及び順序で読み出す制御をし、回転検出部の検出に応じて記憶部に記憶したデータの読み出し速度及び順序を制御する制御部とを備える。【選択図】      図２
2006099820.tif 000002
【特許請求の範囲】
【請求項１】
光ディスクに記録されたオーディオデータを読み取る読取部と、前記読取部が読み取ったオーディオデータを記憶する記憶部と、前記記憶部が記憶したオーディオデータを再生する再生部と、円盤部と、前記円盤部を回転駆動する駆動部と、前記円盤部に載置され正方向または逆方向に回転操作される操作円盤部と、前記操作円盤部の回転速度及び回転方向を検出しパルス信号を出力する回転検出部と、前記操作円盤部の上面の略中央に固定され上面に略中央を中心にそれぞれ略等間隔に配設された複数のＬＥＤを備える円筒部と、前記ＬＥＤを発光させるＬＥＤ発光部と、予め定めた位置を基準位置として前記円盤部の回転角度を検出する回転角度検出部と、前記回転角度検出部が検出する回転角度に基づいて前記再生部がオーディオデータの再生を開始する前に前記複数のＬＥＤの内から前記基準位置に近接した回転角度となるＬＥＤを発光させるよう前記ＬＥＤ発光部を制御し、前記回転検出部からのパルス信号によって前記操作円盤部が基準回転速度及び基準回転方向に回転していると判別したとき前記記憶部に記憶したオーディオデータを基準読み出し速度及び基準読み出し順序で読み出す制御をし、前記回転検出部からのパルス信号に応じて前記記憶部に記憶したオーディオデータの読み出し速度及び読み出し順序を制御する制御部とを備えることを特徴とする光ディスク再生装置。
【発明の詳細な説明】
【技術分野】
【０００１】
本発明は、光ディスクから再生したオーディオデータをメモリに記憶し、メモリに記憶したオーディオデータの読み出し速度及び読み出し順序を、操作円盤部の操作によって変化させることができる光ディスク再生装置に関する。
【背景技術】
【０００２】
オーディオ再生装置を操作してオーディオデータを再生するディスクジョッキー（Disc Jockey（以下、DJという。））は、アナログレコードまたはコンパクトディスク（Compact Disc（以下、CDという。））等の光ディスクに記録されたオーディオデータを再生している最中に、擦れ音のような効果音を発生させるスクラッチ再生と呼ばれる特殊再生を行うことがある。DJは、アナログレコードを用いてスクラッチ再生を行う場合、アナログレコードを素早く正方向又は逆方向に回すことにより擦れ音を発生させる。
【０００３】
このアナログレコードプレーヤを用いたスクラッチ再生と同様の特殊再生を行なう機能を備えたDJ用のCDプレーヤがある。このCDプレーヤは、ジョグダイヤル（操作円盤部）とメモリを備え、CDから再生したオーディオデータをメモリに記憶し、ＤＪがジョグダイヤルを正方向又は逆方向に回すことにより、メモリに記憶されたオーディオデータの読み出し速度と読み出し順序を制御し、アナログレコードと同じようにジョグダイヤルを回転操作することにより、アナログレコードプレーヤと同様のスクラッチ再生等の特殊再生を行なうことができる（例えば、特許文献１参照）。
【０００４】
DJ用のCDプレーヤにおいて、ジョグダイヤルが操作されない場合、CDに記録されたオーディオデータを標準速度で再生（以下、通常再生という。）する。ジョグダイヤルが回転操作された場合、CDプレーヤは、ジョグダイヤルの回転速度及び回転方向を検出し、検出した回転速度及び回転方向に応じて、CDから読み取り、メモリに記憶したオーディオデータの読み出し速度及び読み出し順序を変える特殊再生を行なう。
【０００５】
前記ジョグダイヤルを、モータ等によって回転駆動される円盤部に操作円盤部を載置する構成とした光ディスク再生装置の発明を、本出願人は特許出願した（特願２００３−８４１００、平成１５年３月２６日出願）。図４は、特願２００３−８４１００特許出願明細書に記載の光ディスク再生装置における操作円盤部、円盤部及び光センサ部の構成を示す図である。この光ディスク再生装置において、操作円盤部２８は、円盤部２５に載置されている。円盤部２５の回転速度及び回転方向は、第２光センサ部３２で検出される。操作円盤部２８の回転速度及び回転方向は、第１光センサ部３１で検出される。操作円盤部２８が円盤部２５と同じ速度で回転しているとき、光ディスク再生装置は通常再生をする。ＤＪにより操作円盤部２８が回転操作された場合、光ディスク再生装置は、第１光センサ部３１により操作円盤部２８の回転方向及び回転速度を検出して、検出した操作円盤部２８の回転方向及び回転速度に応じてRAM（図示せず。）に記憶されたオーディオデータの読み出し順序及び読み出し速度を制御することによって、スクラッチ再生等の特殊再生をする。
【０００６】
ＤＪによる操作円盤部２８の回転操作が終了した場合、操作円盤部２８は、円盤部２５の回転に追従し、基準回転速度及び基準回転方向で回転している円盤部２５の回転方向及び回転速度と一致する。制御部（図示せず。）は、第１光センサ部３１及び第２光センサ部３２の検出出力により操作円盤部２８が円盤部２５と同じ基準回転速度及び基準回転方向で回転していると判別し、通常再生を行なうようメモリ制御部（図示せず。）を制御する。これにより、光ディスク再生装置は、RAMに記憶されているオーディオデータの通常再生を再開する。
【０００７】
この光ディスク再生装置は、円盤部２５の１周当たりの回転時間を設定する設定部（図示せず。）を備える。円盤部２５は、制御部の制御により、１周当たりの回転時間が設定部に設定されたオーディオデータの再生時間に一致する一定の回転速度で回転する。制御部は、第１光センサ部３１から入力された予め定められた時間内のパルス信号の数に比例して、メモリ制御部によるＲＡＭに記憶されたオーディオデータの読み出し速度を変化させる。これにより、この光ディスク再生装置は、操作円盤部２８及び円盤部２５の回転数とオーディオデータの再生時間を一定の比例関係に合わせることができる。
【０００８】
【特許文献１】特開平６−０８９５０１号公報
【発明の開示】
【発明が解決しようとする課題】
【０００９】
アナログレコードは、当該アナログレコードの表面に形成された溝に当接したレコード針の振動によってオーディオ信号が出力される構成であることから、アナログレコードの溝とレコード針とが当接する位置によって、出力されるオーディオ信号を特定することができる。このことから、DJは、スクラッチ再生を行なう際に所望のオーディオ信号が出力される位置を認識できるようにするために、シール等の目印をアナログレコードの表面の溝が形成されていない内周部分に貼付することがある。
【００１０】
例えば、アナログレコードに１曲の音楽が記録されている場合、DJは、先ず、アナログレコードに形成されている溝の中からスクラッチ再生を行なう位置より前の溝の位置にレコード針を当接させ、再生開始ボタンを押圧してアナログレコードに記録されている音楽の再生を開始する。次に、スクラッチ再生を行なう位置が近づいてくると、DJは、アナログレコードにスクラッチ操作する手を近づけ、回転軸を中心に回転している目印のシールを目視する。そして、アナログレコード上に貼付した目印の位置がレコード針の位置と一致したタイミングでスクラッチ再生を開始する。このように、DJは、予めスクラッチ再生を開始するタイミングを認識するための目印をアナログレコード上に貼付しておき、目印がレコード針と一致したタイミングでスクラッチ再生を開始することにより、容易に所望の位置からスクラッチ再生をすることができる。
【００１１】
アナログレコード上に目印を貼付しておくことにより、例えば、レコードプレーヤから当該アナログレコードを取り外した後、再度、目印を貼付したアナログレコードをレコードプレーヤに載置して再生を行なう場合でも、アナログレコード上に貼付した目印によって、容易に所望の位置からスクラッチ再生をすることができる。
【００１２】
しかし、従来の光ディスク再生装置は、操作円盤部２８の回転角度とCDに記録されたオーディオデータの再生位置との間に一定の関係がない。
図５は、特願２００３−８４１００特許出願明細書に記載の光ディスク再生装置において、操作円盤部２８の上面に目印２８１を貼付し、CDに記録されているオーディオデータを再生した場合の操作円盤部２８の回転状態を示す図で、図５（ａ）は、再生を開始したときの目印が基準角度と一致する回転角度にある場合を示す図、図５（ｂ）は、再生したときの目印が基準角度に対して９０°の回転角度にある場合を示す図である。
図４に示す円盤部２５の基準回転方向は、時計回り方向とし、円盤部２５の基準回転速度は、円盤部２５が毎秒１回転する速度とする。また、円盤部２５及びその上に載置されている操作円盤部２８は、RAMに記憶されたオーディオデータの再生を開始すると同時に基準回転速度及び基準回転方向で回転するものとする。
【００１３】
先ず、図５（ａ）に示すように、目印２８１が基準角度と一致する回転角度で操作円盤部２８が停止している場合について説明する。この状態からオーディオデータの再生を開始すると、円盤部２５と共に操作円盤部２８は、RAMに記憶されたオーディオデータの再生が開始されると同時に基準回転速度及び基準回転方向で回転する。操作円盤部２８は、回転開始から１秒経過する毎に１回転することから、操作円盤部２８の上面に貼付した目印２８１は、再生開始時点である０秒時点から１秒経過する毎に基準角度と一致した回転角度となる。
【００１４】
次に、図５（ｂ）に示すように、目印２８１が基準角度に対して９０°の回転角度で操作円盤部２８が停止している場合について説明する。この状態からオーディオデータの再生を開始すると、円盤部２５と共に操作円盤部２８は、オーディオデータの再生が開始されると同時に基準回転速度及び基準回転方向で回転する。操作円盤部２８は、回転開始から１秒経過する毎に１回転することから、操作円盤部２８の上面に貼付した目印２８１は、再生開始時点である０秒時点から１秒経過する毎に基準角度に対して９０°の回転角度となる。
【００１５】
このため、例えば、図５（ａ）に示すように、オーディオデータの再生の開始から２０秒が経過した時点でのスクラッチ再生を所望し、その時点での目印２８１の回転角度が基準角度と一致するように目印２８１を操作円盤部２８の上面に貼付しておいても、図５（ｂ）に示すように、オーディオデータの再生を開始する０秒時点での目印２８１が基準角度に対して９０°の回転角度となっていると、オーディオデータの再生を開始してから２０秒経過した時点での目印２８１は、基準角度に対して９０°の回転角度となってしまう。このように、オーディオデータの再生を開始した時点での目印２８１の回転角度が基準角度と異なっていると、それに依存してスクラッチ再生を行なうオーディオデータの再生時点での目印２８１の回転角度が基準角度と異なってしまう。
【００１６】
オーディオデータの再生を開始しようとする場合に、予め、操作円盤部２８を手動で回転させ、目印２８１を常に一定の回転角度（例えば、基準角度）に設定しておくことにより、再生開始から１秒後、２秒後、１０秒後、２０秒後等の区切りのよいオーディオデータの再生時間における目印２８１の回転角度を一定にする（例えば基準角度にする）ことが可能となる。しかし、再生を開始しようとする毎に目印２８１が一定の回転角度となるように手動により操作円盤部２８を操作する作業が必要となり、この作業が煩わしい。
【００１７】
また、従来のDJ用のCDプレーヤは、周囲が暗い室内で使用されることが多い。このため、従来の光ディスク再生装置を暗い室内で使用し、操作円盤部２８の上面に目印２８１を貼付した場合、使用者がこの目印２８１を視認することが困難となり、目印２８１に基づいてスクラッチ再生をタイミング良く開始することができなくなってしまう。
【００１８】
本発明は、光ディスク再生装置において、アナログレコードのように、予め、スクラッチ再生を行なう位置の指標となる目印を操作円盤部の上面に備え、当該目印に基づいてスクラッチ再生をタイミング良く開始することができる光ディスク再生装置を提供することを目的とする。
【００１９】
また、本発明は、光ディスク再生装置において、暗い室内で光ディスク再生装置を用いた場合でも、スクラッチ再生をタイミング良く行うことができる光ディスク再生装置を提供することを目的とする。
【課題を解決するための手段】
【００２０】
本願の請求項１記載の発明は、光ディスク再生装置において、光ディスクに記録されたオーディオデータを読み取る読取部と、前記読取部が読み取ったオーディオデータを記憶する記憶部と、前記記憶部が記憶したオーディオデータを再生する再生部と、円盤部と、前記円盤部を回転駆動する駆動部と、前記円盤部に載置され正方向または逆方向に回転操作される操作円盤部と、前記操作円盤部の回転速度及び回転方向を検出しパルス信号を出力する回転検出部と、前記操作円盤部の上面の略中央に固定され上面に略中央を中心にそれぞれ略等間隔に配設された複数のＬＥＤを備える円筒部と、前記ＬＥＤを発光させるＬＥＤ発光部と、予め定めた位置を基準位置として前記円盤部の回転角度を検出する回転角度検出部と、前記回転角度検出部が検出する回転角度に基づいて前記再生部がオーディオデータの再生を開始する前に前記複数のＬＥＤの内から前記基準位置に近接した回転角度となるＬＥＤを発光させるよう前記ＬＥＤ発光部を制御し、前記回転検出部からのパルス信号によって前記操作円盤部が基準回転速度及び基準回転方向に回転していると判別したとき前記記憶部に記憶したオーディオデータを基準読み出し速度及び基準読み出し順序で読み出す制御をし、前記回転検出部からのパルス信号に応じて前記記憶部に記憶したオーディオデータの読み出し速度及び読み出し順序を制御する制御部とを備えることを特徴とする。
【発明の効果】
【００２１】
本発明によれば、光ディスク再生装置において、アナログレコードのように、予め、スクラッチ再生を行なう位置の指標となる目印を操作円盤部の上面に備え、当該目印に基づいてスクラッチ再生をタイミング良く開始することができる光ディスク再生装置を提供することができる。
【００２２】
また、本発明によれば、光ディスク再生装置において、暗い室内で光ディスク再生装置を用いた場合でも、スクラッチ再生をタイミング良く行うことができる光ディスク再生装置を提供することができる。
【発明を実施するための最良の形態】
【００２３】
本発明の実施の形態を図面を参照して説明する。
図１は、本発明の光ディスク再生装置の一実施例の構成を示すブロック図である。図１において、１はターンテーブル、２はスピンドルモータ、３はサーボ制御部、４は光ピックアップ、５は再生アンプ、６は信号処理部、７はメモリ制御部、８はRAM（Random Access Memory）、９はDAC（Digital to Analog Converter）、１０はアンプ、１１は出力端子、１２は制御部、１３は表示部、１４は操作部を示す。本実施例の光ディスク再生装置は、操作部１４に読出指示部としてのジョグダイヤル部を備え、ジョグダイヤル部の回転速度及び回転方向に応じて、CDから再生しRAM８に記憶されたオーディオデータの読み出し速度及び読み出し順序を変えることができるDJ用のCDプレーヤである。
【００２４】
スピンドルモータ２に固定されたターンテーブル１は、CDを固定する。サーボ制御部３は、ターンテーブル１にCDが固定されると、スピンドルモータ２を所定の線速度で回転駆動させる制御をする。また、サーボ制御部３は、光ピックアップ４からのレーザ光をCDのピット列を正しくトレースするために、図示しないフォーカスサーボ回路とトラッキングサーボ回路を制御する。
【００２５】
光ピックアップ４が読み取ったオーディオデータは、再生アンプ５により波形整形及び増幅され信号処理部６に入力される。信号処理部６は、オーディオデータの復調、フォーカスエラー信号やトラッキングエラー信号等のエラー信号、同期信号の抜き出し等をしてオーディオデータをメモリ制御部７に入力する。
【００２６】
メモリ制御部７は、入力されたオーディオデータをRAM８に記憶するよう制御する。RAM８は、入力されたオーディオデータを記憶する。RAM８が記憶したオーディオデータは、メモリ制御部７の制御により読み出されDAC９に入力される。
【００２７】
DAC９は、オーディオデータをアナログオーディオ信号に変換しアンプ１０に入力する。アンプ１０に入力されたアナログオーディオ信号は、増幅され、出力端子１１に接続したスピーカ等から出力される。
【００２８】
表示部１３は、現在再生しているトラックの再生時間（分、秒、フレーム）の表示、トラックナンバー等の表示を行う。操作部１４は、ジョグダイヤル部、再生開始ボタン、再生停止ボタン、イジェクトボタン等を備えている。
【００２９】
図２は、本実施例のジョグダイヤル部の図で、図２（ａ）は上面図、図２（ｂ）は断面図である。図２（ｂ）において、２１はモータ部、２５は円盤部、２６はスリット部、２７はシート部、２８は操作円盤部、３０はパネル、３１は第１光センサ部、３２は第２光センサ部、３３はスリット部、３５は第３光センサ部、４５は筐体、６０は円筒部を示す。
【００３０】
図２に示すジョグダイヤル部の構成について説明する。
筐体４５は、箱型を成し、上面にパネル３０が固定されている。パネル３０には、円筒型を成し上方へ突出する円柱部３０３を備える。円柱部３０３の上部には、上方へ突出する凸部３０２を備える。円柱部３０３の略中央には、上下に貫通する孔３０１を備える。
【００３１】
円盤部２５は、略中央に上下に貫通する孔２５１を備え、当該孔２５１へ凸部３０２が挿入することにより、円柱部３０３を軸として自在に回動する。シート部２７は、略中央に上下に貫通する孔２７１を備え、円盤部２５の上面に載置されている。このシート部２７は、摩擦係数が小さく、静電気が発生しにくい樹脂材料等からなる。操作円盤部２８は、略中央に上下に貫通する孔２８３を備え、シート部２７の上面に載置されている。
【００３２】
モータ部２１は基板２１１、マグネット２１２、基板２１３、保持部２１４及びコイル２１５を備える。基板２１３は、パネル３０の上面に固定される。基板２１３の上面には、複数のコイル２１５が保持部２１４によって固定されている。それぞれのコイル２１５は、円柱部３０３を中心として等間隔に配置されている。基板２１１は、円盤部２５の下面に固定されている。基板２１１の下面には複数のマグネット２１２が固定されている。それぞれのマグネット２１２は、コイル２１５の外周に等間隔に配置されている。コイル２１５は、基板２１３及び保持部２１４を介して図示しない導電ケーブルによってモータ駆動回路と接続されている。モータ駆動回路は、制御部１２の制御によりコイル２１５へ電力を供給する。コイル２１５は、モータ駆動回路から電力が供給されることにより、Ｓ極及びＮ極の磁力を帯びた電磁石となる。円盤部２５は、コイル２１５がモータ駆動回路からの電力によってＳ極の磁力とＮ極の磁力を交互に帯びることにより、マグネット２１２がコイル２１５へ吸引され、円柱部３０３を軸に回転する。
以上の構成により、モータ部２１は、制御部１２の制御により、円盤部２５を回転させる。
【００３３】
円筒部６０は、円筒型を成し操作円盤部２８の上面の略中央に固定されている。円筒部６０の上面には、略中央を中心にそれぞれ等間隔に配設された第１のＬＥＤ６１a〜第８のＬＥＤ６１ｈを備える。第１のＬＥＤ６１a〜第８のＬＥＤ６１ｈは、それぞれ孔２７１及び孔２５１を介して孔３０１を貫通するケーブル５０により筐体４５に配設されたＬＥＤ発光部６２と電気的に接続される。
【００３４】
ＬＥＤ発光部６２は、制御部１２の制御に応じて、第１のＬＥＤ６１a〜第８のＬＥＤ６１ｈの中から１つのＬＥＤを発光する。
【００３５】
図２（ａ）に示すように、円盤部２５の裏面には、スリット部２６が設けられている。スリット部２６は、例えば、円盤部２５と同材質であり、等間隔に円形状または長方形状の開口部を設けたリング状の板である。操作円盤部２８の外周部には、等間隔に円形状または長方形状の開口部を備えたスリット部３３が複数設けられている。また、操作円盤部２８の裏面には、突起部２８２が設けられている。この突起部２８２は、回転軸２２を中心に、それぞれの高さが異なった突起が円環状に配列されている。第３光センサ部３５は、突起部２８２の高さを検出できるようにパネル３０に固定されている。
【００３６】
第１光センサ部３１は、操作円盤部２８の回転方向を検出するために２の光センサから構成され、スリット部３３の開口部を検出できるようにパネル３０に固定されている。同様に、第２光センサ部３２は、２の光センサから構成され、スリット部２６の開口部を検出できるようにパネル３０に固定されている。
【００３７】
第１光センサ部３１は、操作円盤部２８のスリット部３３の開口部を検出し、操作円盤部２８の回転状態（回転速度及び回転方向）に応じた第１パルス信号を発生し制御部１２へ入力する。また、第２光センサ部３２は、円盤部２５のスリット部２６の開口部を検出し、円盤部２５の回転状態に応じた第２パルス信号を発生し制御部１２へ入力する。第３光センサ部３５は、操作円盤部２８の回転によって変化する突起部２８２の高さを検出することによって、予め定めた位置の基準角度（０°とする）に対する回転角度、例えば、第１のＬＥＤ６１aの基準角度に対する回転角度（第１のＬＥＤ６１aの回転角度）を検出する。
【００３８】
制御部１２は、図１に示すＣＤがターンテーブル１に固定されると、第３光センサ部３５が検出した第１のＬＥＤ６１aの回転角度に基づいて、第１のＬＥＤ６１a〜第８のＬＥＤ６１ｈの中から基準角度と一致する回転角度に近接したＬＥＤを発光させるようＬＥＤ発光部６２を制御する。
【００３９】
そして、円盤部２５、操作円盤部２８及び円筒部６０が停止した状態で操作部１４から再生開始の指示が入力されると、メモリ制御部７は、RAM８に記憶されたオーディオデータを読み出すよう制御する。
【００４０】
それと共に、制御部１２は、操作部１４から再生開始の指示が入力されると、基準回転速度及び基準回転方向（時計回りと同じ方向）で回転を開始するようモータ部２１を制御する。本実施例の光ディスク再生装置は、円盤部２５が１秒間に１回転する回転速度を基準回転速度とする。円盤部２５、シート部２７及び操作円盤部２８は、モータ部２１が回転を始めるのに同期して回転を開始する。制御部１２は、第２光センサ部３２から入力される第２パルス信号から、円盤部２５の回転速度を基準回転速度に保つようにモータ部２１を制御する。制御部１２は、操作部１４から再生停止の指示が入力されると、RAM８に記憶されたオーディオデータの読み出しを停止するようメモリ制御部７を制御し、回転を停止するようモータ部２１を制御する。
【００４１】
第１光センサ部３１は、２の光センサを備え、操作円盤部２８の回転方向が変化すると、この２の光センサから発生するパルス信号の位相差は、操作円盤部２８の回転方向に応じて変化する。制御部１２は、この２の光センサから入力された第１パルス信号の位相差から操作円盤部２８の回転方向を判別する。
【００４２】
本実施例の光ディスク再生装置は、CDに記録されたオーディオデータを再生する場合、モータ部２１は、基準回転速度及び基準回転方向で回転する。モータ部２１が基準回転速度及び基準回転方向で回転しているとき、円盤部２５、シート部２７、操作円盤部２８及び円筒部６０は、同じ速度及び方向で回転する。本実施例では、操作円盤部２８が基準回転速度で回転している場合に、RAM８に記憶されたオーディオデータの読み出す速度を基準読み出し速度（通常再生時の読み出し速度）とする。また、操作円盤部２８が基準回転方向で回転している場合に、RAM８に記憶されたオーディオデータの読み出す順序を基準読み出し順序（通常再生時の読み出し順序）とする。
【００４３】
先ず、基準再生速度及び基準回転方向で回転している操作円盤部２８を停止する場合における、本実施例の光ディスク再生装置の再生動作について説明する。
【００４４】
先ず、DJは、基準回転速度及び基準回転方向で回転している操作円盤部２８に手を乗せ回転速度を徐々に遅くする。このとき、円盤部２５は、シート部２７の摩擦係数が小さいため、操作円盤部２８の回転速度に影響されることなく、基準回転速度で回転する。操作円盤部２８の回転速度が変化すると、第１光センサ部３１から一定時間に発生する第１パルス信号のパルス数は、操作円盤部２８の回転速度に応じて変化する。制御部１２は、第１光センサ部３１から一定時間に入力された第１パルス信号のパルス数から操作円盤部２８の回転速度を判別する。制御部１２は、判別した回転速度に応じて、メモリ制御部７を制御する。メモリ制御部７は、RAM８から読み出すオーディオデータの速度を遅くする制御をする。
【００４５】
操作円盤部２８の回転が停止したとき、第１光センサ部３１は、制御部１２に第１パルス信号を入力しない。制御部１２は、第１光センサ部３１から第１パルス信号の入力がない場合、メモリ制御部７にRAM８からオーディオデータの読み出しを停止する制御をする。
【００４６】
次に、基準回転速度及び基準回転方向で回転している操作円盤部２８を逆方向に回転させる場合における、本実施例の光ディスク再生装置の再生動作について説明する。
【００４７】
DJは、手で基準回転速度及び基準回転方向で回転している操作円盤部２８を逆方向（反時計回り）に回転させる。このとき、円盤部２５は、シート部２７の摩擦係数が小さいため、操作円盤部２８の回転速度及び回転方向に影響されることなく、基準回転速度及び基準回転方向で回転することができる。制御部１２は、第１光センサ部３１から一定時間に入力された第１パルス信号のパルス数から操作円盤２８の回転速度を判別する。制御部１２は、判別した回転速度及び回転方向に応じて、メモリ制御部７を制御する。メモリ制御部７は、RAM８から読み出すオーディオデータの速度及び順序を制御する。
【００４８】
本実施例の光ディスク再生装置を用いて、スクラッチ再生を行う場合、DJは、手で操作円盤部２８を素早く正方向又は逆方向に回転させる操作を繰り返す。制御部１２は、第１光センサ部３１から入力される第１パルス信号から、操作円盤部２８の回転速度及び回転方向を判別する。制御部１２は、判別した回転速度及び回転方向に応じて、メモリ制御部７を制御する。メモリ制御部７は、RAM８に記憶されたオーディオデータの読み出し速度及び読み出し順序（オーディオデータを昇順アドレスで読み出す又は降順で読み出す）を制御する。RAM８から読み出されたオーディオデータは、DAC９によりアナログオーディオ信号に変換され、アンプ１０により増幅されて出力端子１１に接続したスピーカから擦れ音のような効果音として出力される。
【００４９】
以上によって、本実施例の光ディスク再生装置は、操作円盤部２８が基準回転速度及び基準回転方向で回転している状態から、操作円盤部２８を回転操作することにより、スクラッチ再生等の特殊再生を行うことができる。
【００５０】
図３は、本実施例の光ディスク再生装置において、ＣＤをターンテーブル１に固定した後、CDに記録されているオーディオデータを再生したときに操作円盤部２８及び円筒部６０が回転する状態を示す図で、図３（ａ）は、ＣＤをターンテーブル１に固定したときの第１のＬＥＤ６１aが基準角度に対して９０°の回転角度である場合を示す図、図３（ｂ）は、ＣＤをターンテーブル１に固定したときの第１のＬＥＤ６１aが基準角度に対して１８０°の回転角度である場合を示す図である。
【００５１】
図３（ａ）に示すように、ＣＤをターンテーブル１に固定したときの第１のＬＥＤ６１aが基準角度に対して９０°の回転角度である場合、第３光センサ部３５は、第１のＬＥＤ６１aの回転角度が９０°であると検出する。制御部１２は、第３光センサ部３５が検出した第１のＬＥＤ６１aの回転角度に基づいて、第１のＬＥＤ６１a〜第８のＬＥＤ６１ｈの中から基準角度と一致する回転角度に近接したＬＥＤである第７のＬＥＤ６１ｇを発光させるようＬＥＤ発光部６２を制御する。ＬＥＤ発光部６２は、制御部１２の制御により、第７のＬＥＤ６１ｇを発光させる。これにより、基準角度と略一致した回転角度である第７のＬＥＤ６１ｇが発光する。
【００５２】
操作部１４から再生開始の指示が入力されると、制御部１２は、RAM８に記憶されたオーディオデータの読み出しを開始すると同時にモータ部２１が回転を開始するよう制御する。操作円盤部２８及び円筒部６０は、円盤部２５が回転することにより、毎秒１回転で回転することから、発光している第７のＬＥＤ６１ｇの回転角度は、RAM８に記憶したオーディオデータの読み出し開始から１秒経過する毎に基準角度と一致する。それ以降は、操作円盤部２８が毎秒１回転で回転することから、発光している第７のＬＥＤ６１ｇの回転角度は、１秒経過する毎に基準角度と一致する。
【００５３】
図３（ｂ）に示すように、ＣＤをターンテーブル１に固定したときの目印２８１が基準角度に対して１８０°の回転角度である場合、第３光センサ部３５は、第１のＬＥＤ６１aの回転角度が１８０°であると検出する。制御部１２は、第３光センサ部３５が検出した第１のＬＥＤ６１aの回転角度に基づいて、第１のＬＥＤ６１a〜第８のＬＥＤ６１ｈの中から基準角度と一致する回転角度に近接したＬＥＤである第４のＬＥＤ６１ｅを発光させるようＬＥＤ発光部６２を制御する。ＬＥＤ発光部６２は、制御部１２の制御により、第４のＬＥＤ６１ｅを発光させる。これにより、基準角度と略一致した回転角度である第４のＬＥＤ６１ｅが発光する。
【００５４】
操作部１４から再生開始の指示が入力されると、制御部１２は、RAM８に記憶されたオーディオデータの読み出しを開始すると同時にモータ部２１が回転を開始するよう制御する。操作円盤部２８及び円筒部６０は、円盤部２５が回転することにより、毎秒１回転で回転することから、発光している第４のＬＥＤ６１ｅの回転角度は、RAM８に記憶したオーディオデータの読み出し開始から１秒経過する毎に基準角度と一致する。それ以降は、操作円盤部２８が毎秒１回転で回転することから、発光している第４のＬＥＤ６１ｅの回転角度は、１秒経過する毎に基準角度と一致する。
【００５５】
以上の構成により、例えば、CDに記録されているオーディオデータの中からDJがスクラッチ再生を所望するオーディオデータが再生開始から２０秒の時点である場合、ＣＤをターンテーブル１に固定したときの操作円盤部２８の回転角度がどの角度であっても、２０秒時点において第１のＬＥＤ６１a〜第８のＬＥＤ６１ｈの中から発光するＬＥＤの回転角度が基準角度と一致する。このことにより、DJは、円筒部６０の上面から発光するＬＥＤを目印として、このＬＥＤの回転角度が基準角度と一致したタイミングでスクラッチ再生を開始することにより、容易に音楽のタイミングに合わせることができる。
【００５６】
また、オーディオデータの再生を開始する時点において、スクラッチ再生を行なうオーディオデータの再生時点と目印の回転角度を同期させるために、ＤＪが自ら再生開始前に操作円盤部２８を回転させて目印の回転角度を常に一定にしておく必要がないので、DJは、スクラッチ再生を行なうことに専念することができる。
【００５７】
以上のように、本実施例の光ディスク再生装置は、ＣＤをターンテーブル１に固定したときに第１のＬＥＤ６１a〜第８のＬＥＤ６１ｈの中から目印となるＬＥＤを発光させ、再生を開始する前に発光するＬＥＤの回転角度を基準角度と一致させておくので、発光するＬＥＤの回転角度がオーディオデータの再生時点に同期する。これにより、例えば、基準角度をアナログレコードプレーヤのレコード針に置き換え、発光するＬＥＤが基準角度と一致したタイミングでスクラッチ再生を開始することにより、容易に音楽のタイミングに合わせることができる。
【００５８】
本実施例の光ディスク再生装置は、オーディオデータの再生時点に同期した目印がＬＥＤによって発光することによって、周囲が暗い場所で光ディスク再生装置を使用した場合でも、発光するＬＥＤを使用者が容易に視認することができる。このことにより、光ディスク再生装置を暗い室内で用いた場合でも、使用者は、発光する目印に基づいてスクラッチ再生をタイミング良く行うことができる。
【００５９】
本実施例の光ディスク再生装置は、ＣＤをターンテーブル１に固定したときに円筒部６０の上面から発光するＬＥＤが基準角度と一致させる構成としたが、オーディオデータの再生を停止する毎に発光するＬＥＤが基準角度と一致させる構成としても良い。これにより、例えば、ＣＤの複数のトラック毎に音楽が記録され、そのトラックの内から任意のトラックに記録されている音楽を選択して再生した後に再生を停止し、続けて別のトラックに記録されている音楽の再生を開始する場合、別のトラックの再生を開始しようとする時点での発光するＬＥＤの回転角度を常に一定の回転角度にすることができるので、当該別のトラックに記録されている音楽のタイミングと円筒部６０の上面から発光するＬＥＤの回転角度を常に一致させることができる。
【００６０】
本実施例の光ディスク再生装置は、第１のＬＥＤ６１a〜第８のＬＥＤ６１ｈの８個のＬＥＤの中から基準角度と一致する回転角度に近接したＬＥＤを発光させる構成としたが、７個以下または９個以上のＬＥＤを略等間隔に配設する構成としても良い。
【００６１】
本実施例の光ディスク再生装置は、操作円盤部２８の基準回転速度を操作円盤部２８が１秒毎に１回転する回転速度としたが、アナログレコードプレーヤがアナログレコードを回転させる回転速度と同様に１分毎に４５回転する構成としても良い。この場合、制御部１２は、RAM８に記憶されたオーディオデータの読み出しを開始してからモータ部２１が回転を開始するまでの遅延時間を、約（目印２８１の回転角度）／（３６０°）×１．３３とする。これにより、更にアナログレコードの操作性に近いスクラッチ再生をすることができる。
【図面の簡単な説明】
【００６２】
【図１】本発明の光ディスク再生装置の一実施例の構成を示すブロック図。
【図２】本実施例のジョグダイヤル部の図で、図２（ａ）は上面図、図２（ｂ）は断面図。
【図３】本実施例の光ディスク再生装置において、ＣＤをターンテーブル１に固定した後、CDに記録されているオーディオデータを再生したときに操作円盤部２８及び円筒部６０が回転する状態を示す図。
【図４】特願２００３−８４１００特許出願明細書に記載の光ディスク再生装置における操作円盤部、円盤部及び光センサ部の構成を示す図。
【図５】特願２００３−８４１００特許出願明細書に記載の光ディスク再生装置において、操作円盤部２８の上面に目印を貼付し、CDに記録されているオーディオデータを再生した場合の操作円盤部２８の回転状態を示す図。
【符号の説明】
【００６３】
１  ターンテーブル、２  スピンドルモータ、３  サーボ制御部、４  光ピックアップ、
５  再生アンプ、６  信号処理部、７  メモリ制御部、８  RAM、９  DAC、
１０  アンプ、１１  出力端子、１２  制御部、１３  表示部、１４  操作部、
２１  モータ部、
２１１  基板、２１２  マグネット、２１３  基板、２１４  保持部、２１５  コイル、
２５  円盤部、２５１  孔、２６  スリット部、２７  シート部、２７１  孔、
２８  操作円盤部、２８３  孔、
３０  パネル、３０１  孔３０１  凸部３０２  円柱部、
３１  第１光センサ部、３２  第２光センサ部、３３  スリット部、
３５  第３光センサ部、４５  筐体、５０  ケーブル、
６０  円筒部、６１  ＬＥＤ、６２  ＬＥＤ発光部、
２１０  モータ、２２  回転軸、２３  固定保持部、２４  保持部、
２９  ストッパー部
【図１】
2006099820.tif 000003
【図２】
2006099820.tif 000004
【図３】
2006099820.tif 000005
【図４】
2006099820.tif 000006
【図５】
2006099820.tif 000007